【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
スプリットサイクルエンジンのシリンダ内に、冷却処理により液相に凝縮されたクーラント液を噴射するクーラント液インジェクタであって、
断熱ハウジングと、
クーラント液入口と、
クーラント液流路を通じて、前記クーラント液入口に流体連通するクーラント液出口であって、前記クーラント液流路は、前記断熱ハウジングを通じて延在し、前記断熱ハウジングは、前記クーラント液流路内の前記クーラント液の蒸発を防止するように構成される、クーラント液出口と、
バルブ閉鎖部材であって、前記バルブ閉鎖部材が前記クーラント液流路を遮断する第１位置と、前記クーラント液が前記クーラント液入口から前記クーラント液出口へと流れ得る第２位置と、の間で移動可能なバルブ閉鎖部材と、
制御信号に応じて、前記バルブ閉鎖部材を前記第１位置と前記第２位置との間で移動させるように動作可能なドライバと、
を備える、
ことを特徴とするインジェクタ。
【請求項２】
前記断熱ハウジングは、前記クーラント液入口と前記ドライバとの間での前記クーラント液の加熱を防止するように構成される、
請求項１記載のインジェクタ。
【請求項３】
前記断熱ハウジングは、前記クーラント液出口と前記ドライバとの間での前記クーラント液の加熱を可能にするように構成される、
請求項１または２記載のインジェクタ。
【請求項４】
前記クーラント液流路を断熱するように構成される、少なくとも１つの断熱空洞を備える、
請求項１乃至３のいずれかに記載のインジェクタ。
【請求項５】
スプリットサイクルエンジンのシリンダ内に、冷却処理により液相に凝縮されたクーラント液を噴射するクーラント液インジェクタであって、
ハウジングと、
クーラント液入口と、
クーラント液流路を通じて、前記クーラント液入口に流体連通するクーラント液出口であって、前記クーラント液流路は、前記断熱ハウジングを通じて延在し、前記断熱ハウジングは、前記クーラント液流路を断熱する少なくとも１つの断熱空洞を含む、クーラント液出口と、
バルブ閉鎖部材であって、前記バルブ閉鎖部材が前記クーラント液流路を遮断する第１位置と、前記クーラント液が前記クーラント液入口から前記クーラント液出口へと流れ得る第２位置と、の間で移動可能なバルブ閉鎖部材と、
制御信号に応じて、前記バルブ閉鎖部材を前記第１位置と前記第２位置との間で移動させるように動作可能なドライバと、
を備える、
ことを特徴とするクーラント液インジェクタ。
【請求項６】
前記少なくとも１つの断熱空洞は、前記ドライバと前記クーラント液出口との間に存在する、
請求項４または５記載のインジェクタ。
【請求項７】
前記少なくとも１つの断熱空洞は、前記クーラント液流路と同軸状に配置される、
請求項４乃至６のいずれかに記載のインジェクタ。
【請求項８】
前記少なくとも１つの断熱空洞は、外気温度で気相となる材料を収容し、
前記気体は、前記少なくとも１つの断熱空洞内を低圧環境にするように、動作温度まで冷却されると相変化するようなものが選択され、
前記外気温は、標準的な大気の温度であり、
動作温度は、
前記クーラント液の沸点以下の温度、
を含む、
請求項５乃至７のいずれかに記載のインジェクタ。
【請求項９】
前記ドライバは、
磁気カップリング、
を含む、
請求項１乃至８のいずれかに記載のインジェクタ。
【請求項１０】
前記ドライバは、電磁石への電流印加により、前記バルブ閉鎖部材を前記第１位置と前記第２位置との間で移動させるように動作可能である、
請求項９記載のインジェクタ。
【請求項１１】
前記ドライバは、
前記断熱ハウジング内に配置された、導電性材料のコイル、
を備える、
請求項１０記載のインジェクタ。
【請求項１２】
前記ドライバは、
前記バルブ閉鎖部材に結合された磁石、
を備える、
請求項９乃至１１のいずれかに記載のインジェクタ。
【請求項１３】
前記コイルは、前記コイルの抵抗を測定し、前記測定された抵抗に少なくとも部分的に基づいて、前記コイルの温度を判定するように動作可能なコントローラに結合される、
請求項１１または１２記載のインジェクタ。
【請求項１４】
前記バルブ閉鎖部材を前記第１位置に向かって付勢する付勢部材を備える、
請求項１乃至１３のいずれかに記載のインジェクタ。
【請求項１５】
前記バルブ閉鎖部材は、前記第１位置から前記第２位置へ移動する際に、前記クーラント液出口と前記クーラント液入口との両方から離れるように移動するように構成される、
請求項１乃至１４のいずれかに記載のインジェクタ。
【請求項１６】
前記バルブ閉鎖部材は、前記第１位置から前記第２位置へ移動する際に、前記クーラント液出口から離れて、前記クーラント液入口に向かって移動するように構成される、
請求項１乃至１４のいずれかに記載のインジェクタ。
【請求項１７】
前記クーラント液インジェクタ内で生成された磁場の、前記クーラント液インジェクタ外の環境との相互作用を防止するように配置された磁気シールドを備える、
請求項１乃至１６のいずれかに記載のインジェクタ。
【請求項１８】
前記磁気シールドは、
前記断熱ハウジングの外面上に配置された鉄鋼材層、
を備える、
請求項１７記載のインジェクタ。
【請求項１９】
前記クーラント液流路に隣接する、前記インジェクタの面は、
潤滑コーティング、
を備える、
請求項１乃至１８のいずれかに記載のインジェクタ。
【請求項２０】
前記潤滑コーティングは、
ダイヤモンドライクカーボン、
を含む、
請求項１９記載のインジェクタ。
【請求項２１】
前記潤滑コーティングは、
前記前記潤滑コーティングが施される材料に基づいて選択された熱膨張係数、
を有する、
請求項１９または２０記載のインジェクタ。
【請求項２２】
前記断熱ハウジングは、前記クーラント液入口を前記クーラント液出口に結合するインジェクタ本体を備え、前記インジェクタ本体を通じて延在する前記クーラント液流路を実現する、
請求項１乃至４および請求項１に従属する場合の請求項６乃至２１のいずれかに記載のインジェクタ。
【請求項２３】
前記バルブ閉鎖部材と、前記磁石と、前記付勢部材と、前記インジェクタ本体と、の材料は、熱膨張にばらつきがないように選択される、
請求項２２記載のインジェクタ。
【請求項２４】
前記コイルは、前記コイルの有効熱膨張係数を変化させるように、前記コイルと前記インジェクタ本体の材料とは異なる材料のマトリックス内に存在し、
前記コイルの膨張および収縮率の変動が吸収されるように、前記コイルは、前記インジェクタ本体の空洞内に配置される、
請求項１１または１２に従属する先行する請求項のいずれかに記載のインジェクタ。
【請求項２５】
前記インジェクタは、前記ドライバと前記クーラント液出口との間の前記クーラント液流路で前記クーラント液が蒸発した際に、前記バルブ閉鎖部材が排気弁として作用するように構成される、
請求項１乃至２４のいずれかに記載のインジェクタ。
【請求項２６】
前記インジェクタ内の圧力が所定の圧力閾値を超えると、前記バルブ閉鎖部材が前記第２位置に移動するように動作可能となるように、前記クーラント液流路は、テーパ形状である、
請求項２５記載のインジェクタ。
【請求項２７】
前記クーラント液インジェクタは、クーラント液貯蔵槽に結合される、
請求項１乃至２６のいずれかに記載のインジェクタ。
【請求項２８】
前記クーラント液貯蔵部は、
（ａ）液体窒素と、
（ｂ）液化天然ガス（ＬＮＧ）と、
（ｃ）液体酸素と、
（ｄ）液化空気と、
のうちの少なくとも１つを収容する、
請求項２７記載のインジェクタ。
【請求項２９】
エンジンのシリンダ内に、冷却処理により液相に凝縮されたクーラント液を噴射するように構成されたインジェクタを動作させる方法であって、
前記インジェクタのドライバのパラメータを指示する信号を受信する工程と、
前記ドライバの前記パラメータを指示する前記信号の受信に応じて、前記受信した信号に基づいて、前記ドライバの抵抗を判定する工程と、
前記エンジン内に前記クーラント液を噴射するために、バルブ閉鎖部材を第１位置と第２位置との間で移動させるように、前記判定された抵抗に基づいて前記ドライバへの電流を制御する工程と、
を含む、
ことを特徴とする方法。
【請求項３０】
エンジンのシリンダ内に、冷却処理により液相に凝縮されたクーラント液を噴射するように構成されたインジェクタのバルブ閉鎖部材の開放を制御するように構成されたコントローラであって、
前記コントローラは、前記インジェクタのドライバのパラメータを指示する信号を受信し、前記ドライバの前記パラメータを指示する前記信号を受信したことに応じて、前記受信した信号に基づいて、前記ドライバの抵抗を判定し、前記エンジン内に前記クーラント液を噴射するように、バルブ閉鎖部材を第１位置と第２位置との間で移動させるために、前記判定された抵抗に基づいて前記ドライバへの電流を制御するように構成される、
ことを特徴とするコントローラ。
【請求項３１】
クーラント液インジェクタによる、冷却処理により液相に凝縮されたクーラントの噴射を制御する方法であって、
前記インジェクタが噴射する流体に対応する第１パラメータを指示する第１信号を受信する工程と、
前記第１信号の受信に応じて、前記流体に対応する温度を判定する工程と、
前記流体に対応する第２パラメータを指示する第２信号を受信する工程と、
前記第２信号の受信に応じて、前記流体に対応する圧力を判定する工程と、
前記判定された温度および圧力に基づいて、前記流体の相を判定することを含む、前記流体の冷却能力の指示を判定する工程と、
前記判定された前記流体の前記冷却能力の指示に基づいて、前記インジェクタの動作条件を判定する工程と、
前記判定された動作条件に基づいて、前記エンジンに前記流体を送るように、前記インジェクタを制御する工程と、
を含む、
ことを特徴とする方法。
【請求項３２】
クーラント液インジェクタによる、冷却処理により液相に凝縮されたクーラントの噴射を制御するコントローラであって、
前記インジェクタが噴射する流体に対応する第１パラメータを指示する第１信号を受信し、
前記第１信号の受信に応じて、前記流体に対応する温度を判定し、
前記流体に対応する第２パラメータを指示する第２信号を受信し、
前記第２信号の受信に応じて、前記流体に対応する圧力を判定し、
前記判定された温度および圧力に基づく、前記インジェクタ内の前記クーラントの相の判定を含む、前記インジェクタ内の前記流体の冷却能力の指示を判定し、
前記判定された前記流体の前記冷却能力の指示に基づいて、前記インジェクタの動作条件を判定し、
前記判定された動作条件に基づいて、前記インジェクタを制御するように構成される、
ことを特徴とするコントローラ。
【請求項３３】
請求項３０または３２記載のコントローラを備える、
請求項１乃至２９のいずれかに記載のインジェクタ。